【事件の表示】
　特願２０００−１７９４２９「画像形成システム及び画像形成装置」拒絶査定不服審判事件〔平成１３年１２月２５日出願公開、特開２００１−３５３９２１〕について、次のとおり審決する。
【結　論】
　本件審判の請求は、成り立たない。
【理　由】
第１　手続の経緯  
　本件出願の手続の経緯は、概要次のとおりである。  
　　特許出願　　　　　　：平成１２年　６月１５日  
　　拒絶理由通知（最初）：平成２１年　３月１６日（起案日）  
　　手続補正　　　　　　：平成２１年　５月２０日  
　　拒絶査定　　　　　　：平成２１年　７月１４日（起案日）  
　　拒絶査定不服審判請求：平成２１年１０月２０日  
　　手続補正　　　　　　：平成２１年１０月２０日  
　　審尋　　　　　　　　：平成２２年　６月　１日（起案日） 
　　回答書　　　　　　　：平成２２年　７月２８日 
　  
第２　平成２１年１０月２０日付け手続補正についての補正の却下の決定  
　  
〔補正却下の決定の結論〕  
　平成２１年１０月２０日付け手続補正（以下「本件補正」という。）を却下する。  
　  
〔理由〕  
１　本件補正の目的  
　本件補正は、特許請求の範囲及び明細書を補正するものであって、その補正は、平成２１年５月２０日付け手続補正により補正された請求項１の、  
　  
「【請求項１】
　複数枚の原稿に対応する画像を単一の記録シート上に形成する機能を備える画像形成システムにおいて、
　複数枚の原稿に対応する画像のデータから、前記機能を利用する場合の当該画像の記録シート上への配置を決定するに際して参照すべき区切りデータを取得する区切りデータ取得手段と、
　前記区切りデータに含まれる、複数種類の区切りレベルを示す情報から区切りレベルを判別する区切りレベル判別手段と、
　記録シート上に形成する画像が前記区切りレベル毎に互いに異なる配置となるように、判別された区切りレベルに基づいて制御する画像配置制御手段を備える
　ことを特徴とする画像形成システム。」  
　　 
なる記載を、  
　  
「【請求項１】
　複数枚の原稿に対応する画像を単一の記録シート上に形成する機能を備える画像形成システムにおいて、
　複数枚の原稿に対応する画像のデータから、前記機能を利用する場合の当該画像の記録シート上への配置を決定するに際して参照すべき区切りデータを取得する区切りデータ取得手段と、
　前記区切りデータに含まれる、複数種類の区切りレベルを示す情報から
当該複数種類のいずれの
であるか
　記録シート上に形成する画像が前記区切りレベル毎に互いに異なる配置となるように、判別された区切りレベルに基づいて制御する画像配置制御手段を備える
　ことを特徴とする画像形成システム。」 
という記載にすることを含むものであり、本件補正後の請求項１に係る当該補正は、「区切りレベル判別手段」について限定するものであるから、本件補正は、平成１８年法律第５５号改正附則第３条第１項によりなお従前の例によるとされる同法による改正前の特許法第１７条の２（以下単に「特許法第１７条の２」という。）第４項第２号に掲げる、特許請求の範囲の減縮を目的とする補正を含むものである。  
　  
　そこで、本件補正後の請求項１に記載されている発明特定事項により特定される発明(以下「本件補正発明」という。)が、特許出願の際独立して特許を受けることができるものであるか否か、すなわち、特許法第１７条の２第５項において準用する同法第１２６条第５項に規定する要件を満たすか否かについて、以下に検討する。  
　  
２　本件補正発明  
　本件補正発明は、上記「１」に記載したとおりのものである。  
　  
３　引用例  
　原査定の拒絶の理由に引用された、本願出願前に頒布された刊行物である、特開２０００−３５８６５号公報（以下「引用例」という。）には、以下の技術的事項の記載がある（下線は当審で付した。）。  
　　 
ａ．「【０００１】
【発明の属する技術分野】本発明は、所定の通信媒体を介してデータ処理装置から受信するジョブを解析して文書情報中の特定文字列の印刷位置を自動変更処理する印刷制御装置および印刷制御装置のデータ処理方法およびコンピュータが読み出し可能なプログラムを格納した記憶媒体に関するものである。
【０００２】
【従来の技術】従来、所定のページ記述言語に基づきＰＤＬデータを処理する印刷制御装置を含むプリンタにおいて、入力されるＰＤＬデータ中の改ページ命令に基づき印刷ページを変えて印刷することは可能であった。
【０００３】
【発明が解決しようとする課題】しかしながら、このような
従来の技術では、例えばドキュメント内の各章をページの先頭として出力したい時など、元のドキュメント（出力データ）に予め改ページコードをデータ編集時に挿入し、出力されるドキュメントのページレイアウトをユーザが操作指示を行わなければならなかった
【０００４】また、両面印刷や
Ｎｉｎｌ印刷を行ったとき、ドキュメントの章や節の切れ目が変な位置にきてしまい、印刷したドキュメントが読み難くなったりするという問題があった
【０００５】本発明は、上記の問題点を解決するためになされたもので、本発明の目的は、受信するジョブを複数の特定ジョブに振り分けて各特定ジョブのスケジュールを印刷資源に応じて動的に決定することにより、本来データ処理装置側のデータ処理時によるユーザオペレーションが要求される特定文字列のページ印刷位置指定等の煩雑な操作を不要として、各特定のジョブのレベルで、ユーザがアプリケーションレベルで作成されたオリジナルジョブに設定されるジョブ処理スケジュールを印刷装置の資源に応じて自在に変更して、所望の出力結果を得るジョブ処理を効率良く行える印刷制御装置および印刷制御装置のデータ処理方法およびコンピュータが読み出し可能なプログラムを格納した記憶媒体を提供することを目的とする。」
　　
ｂ．「【００４５】
【発明の実施の形態】〔第１実施形態〕
図１は、本発明の第１実施形態を示す印刷制御装置を適用可能なデータ処理システムの構成を説明するブロック図である
【００４６】
図１において、１−１，１−２および１−３はホストコンピュータで、種々のジョブを生成し周辺機器、例えばプリントジョブ，スキャンジョブ，ファクシミリジョブ，コピージョブ等、種々のジョブを複合処理可能なデジタル複合機１−４にそれぞれのジョブを送信する。なお、デジタル複合機１−４は、プリンタ部とスキャナ部とをベースとして、外部インタフェース，ネットワークインタフェースを介してホストコンピュータからのプリントジョブを処理したり、ファクシミリジョブを処理する
【００４７】１−５はＬＡＮ（ローカルエリアネットワーク）で、上記ホストコンピュータ１−１，１−２，１−３およびデジタル複合機１−４とを所定のプロトコルで通信可能に連絡する通信媒体として機能する。なお、通信に使用するプロトコル（ＴＣＰ／ＩＰ等）は複数存在していてもよい。
【００４８】なお、デジタル複合機１−４は、ＬＡＮではなくパラレル（またはシリアル）などのインタフェース１−６を介してホストコンピュータ１−３と接続されている。」
　　
ｃ．「【００４９】図２は、図１に示したデジタル複合機１−４の制御構成を説明するブロック図であり、主としてプリンタ部の制御構成に対応する。
【００５０】図において、２−１は中央処理装置（ＣＰＵ）であり、ＲＯＭ２−２，外部記憶装置２−４等に格納されるこの装置全体の制御及びシステム起動プログラムやプリンタエンジンの制御を行うプログラム及び文字データ、文字コード情報等に基づいて印刷処理を総括的に制御する。
【００５１】２−３はランダムアクセスメモリ（ＲＡＭ）であり、使用制限のないデータ記憶領域で、ダウンロードにより追加登録されたフォントデータが記憶されたり、様々な処理毎にプログラムやデータがロードされ実行される。
【００５２】２−４は例えばハードディスク等の外部記憶装置であり、プリンタ部が受け付けた印刷ジョブをスプールしたり、プログラムや各情報ファイル等が格納されたり、作業用の領域として利用されたりする。
【００５３】２−５は液晶等で構成される表示部であり、プリンタ部の設定状態や、現在のプリンタ部内部の処理、エラー状態などの表示に使用される。２−６は操作部であり、プリンタ部の設定を変更したり、リセットするために使用される。
【００５４】２−７はエンジンインタフェースであり、実際にエンジンを制御するコマンド等のやり取りする。２−８はネットワークインタフェース（ネットワークＩ／Ｆ）であり、このネットワークＩ／Ｆ２−８を介して機器がネットワーク（ＬＡＮ）１−５に接続される。２−９は外部インタフェースであり、パラレル（またはシリアル）などのインタフェースを介してホストコンピュータ１−３と接続される。２−１０はシステムバスであり、上述の構成要素間のデータの通路となるべきものである。」
　　
ｄ．「【００７２】以下、本実施形態の特徴的構成について図２等を参照して説明する。
【００７３】上記のように構成された所定の通信媒体（ネットワーク１−５，インタフェース）を介してデータ処理装置（ホストコンピュータ３−１）と通信可能な印刷制御装置であって、前記データ処理装置から送信されるプロトコルを解析するプロトコル解析手段（プロトコル解釈部３−２）と、前記プロトコル解析手段により解析されたプロトコルに基づいてジョブを生成するジョブ生成手段（ジョブ制御部３−４のジョブ生成部４−１）と、前記ジョブ生成手段により生成されたジョブを解析して該ジョブを異なるプリント処理固有の特定ジョブに振り分けるジョブ処理手段（ジョブ制御部３−４のジョブ処理部４−２）と、前記ジョブ処理手段により振り分けられたプリント処理固有の各特定ジョブを実行する複数のジョブ実行手段（ジョブ制御部３−４のドキュメント処理部４−３，ページ処理部４−４，バンド処理部４−５））とを有するので、一連のジョブ処理を各特定ジョブに振り分けて分散処理でき、各特定ジョブ毎に固有のジョブ処理を付加して処理させることが可能となり、オリジナルのジョブ出力から該オリジナルジョブにユーザが所望するジョブ処理を付加した複合的なジョブ処理を自在に組み入れて、ユーザが意図するジョブ処理結果を得ることができる。
【００７４】また、
前記複数のジョブ実行手段（ジョブ制御部３−４）は、前記ジョブ中に含まれる所定のページ記述言語に基づく印刷データを解釈して中間データを展開処理するページ記述言語（ＰＤＬ）ジョブ実行手段（図９）と、前記ページ記述言語ジョブ実行手段により展開される中間コードを印刷イメージに展開するレンダリングジョブ実行手段（図１０）と、前記レンダリングジョブ実行手段により展開される印刷イメージを記録媒体に出力するプリントジョブ実行手段１１とを含む
【００７５】さらに、前記ページ記述言語ジョブ実行手段（図９）は、ページ記述言語ドキュメント（ＰＤＬドキュメント９−６）を処理し、ページ記述言語ドキュメント９−６をＰＤＬページ９−７単位に分割するページ記述言語ドキュメント処理手段（ＰＤＬ解析ジョブ処理部９−１）と、ＰＤＬページ９−７を中間データページ９−９に展開するページ記述言語ページ処理手段（ページ処理部９−３）を有し、ページ記述言語ドキュメント（ＰＤＬドキュメント９−６）を中間データドキュメント９−８に展開するので、ジョブのボリュームを印刷装置の資源に応じて細分化した単位で効率良く処理できる。
【００７６】また、前記レンダリングジョブ実行手段（図１０）は、中間データドキュメント１０−５を処理し、前記中間データドキュメントを中間データページ１０−６単位に分割する中間データドキュメント処理手段（ドキュメント処理部１０−２）と、前記中間データドキュメント処理手段により分割される中間データページ１０−６をイメージページ１０−８に展開する中間データページ処理手段（ページ処理部）１０−３を有し、ジョブのボリュームを印刷装置の資源に応じて細分化した単位の中間データを効率よくイメージデータに展開することができる。
【００７７】さらに、前記プリントジョブ実行手段（図１１）は、イメージドキュメント１１−９を処理し、イメージドキュメント１１−９をイメージページ１１−１０単位に分割するドキュメント処理手段（ドキュメント処理部１１−２）と、前記ドキュメント処理手段により分割されるイメージページ１１−１０を紙ページ１１−１２に展開するイメージページ処理手段（ページ処理部１１−３）を有し、前記イメージページ処理手段は、前記イメージドキュメント１１−９を記録媒体に出力するので、ジョブのボリュームを印刷装置の資源に応じて細分化した単位の中間データから展開されるイメージデータを印刷装置の印刷処理能力に応じて印刷処理することができる。
【００７８】また、前記プリントジョブ実行処理手段（図１１）は、印刷するページを処理する順番を決定するプリントページ処理順序決定手段（プリント順序作成部１１−５）と、設定されるプリントモードに基づいて給紙する記録媒体の給紙タイミングを指示する給紙タイミング決定手段（給紙タイミング生成部１１−７）とを有するので、印刷装置の印刷処理シーケンスに最適化されるプリント処理順序を動的に決定することができる。
【００７９】さらに、前記プリントジョブ実行手段（図１１）は、出力されるページ１１−１２に対応した用紙１１−１３を生成し、該生成した用紙に関する用紙情報をプリント用紙キュー１１−４に蓄積するので、最適なページにレイアウトされるようにページ処理順序で中間データから各ページのイメージデータを展開処理することができる。
【００８０】また、前記プリントページ処理順序決定手段は、前記プリント用紙キュー１１−４に蓄積された用紙情報の処理実行順序を決定し、処理するページ順にプリント用ページキュー１１−６に配置するので、中間データから展開される各ページのイメージデータを最適なページにレイアウトされるようにページ処理順序を設定することができる。
【００８１】さらに、
前記ページ記述言語ジョブ実行手段（図９）は、ページ記述言語ドキュメント中に階層する特定の文字列を表現する制御コマンドを識別して、該特定の文字列が前記データ処理装置から受信するジョブで指定されたページの位置とは異なるページの先頭位置にレイアウトされる中間データに展開するので、オリジナルのジョブ中では所定のページに割り付けられている特定の文字列をユーザが意図するページの先頭にレイアウトすることができる
【００８２】また、
前記特定の文字列は、文書の章または節として編集された文字列とするので、オリジナルのジョブ中では所定のページに割り付けられている文書の章または節となる文字列をユーザが意図するページの先頭にレイアウトすることができる
【００８３】さらに、
前記異なるページの位置は、前記特定の文字列がレイアウトされていた前ページに後続する次ページの先頭位置とするので、本来ならば文書データのボリュームによって出力ページ内の先頭以外の位置に割り付けられてしまう特定文字列を常にページの先頭位置にレイアウトできる中間データに展開することができる
【００８４】また、
前記ページ記述言語ジョブ実行手段（図９）は、設定されるレイアウトモードに従って前記特定の文字列を前記データ処理装置から受信するジョブで指定されたページの位置とは異なる表面ページの先頭位置にレイアウトされる中間データに展開するので、本来ならば文書データのボリュームによって裏面出力ページ内に割り付けられてしまう特定文字列を常に表面ページの先頭位置にレイアウトできる中間データに展開することができる
【００８５】さらに、
前記レイアウトモードは、複数ページを１ページ内にレイアウトするＮｉｎ１モード，片面モード，両面モードを含むので、本来ならば文書データのボリュームによって裏面出力ページ内に割り付けられてしまう特定文字列を常に片面印刷時には次ページの先頭位置へ、両面印刷時には表面ページの先頭位置へ、Ｎｉｎ１印刷時には、対向するページ割り当て位置の先頭位置へレイアウトできる中間データに展開することができる
　　
ｅ．「【００８６】図５〜図８は、本発明に係る印刷制御装置における自動見出し項目印刷処理形態の一例を示す図であり、印刷する前のオリジナルデータと印刷結果との相対関係を模式的に示している。
【００８７】なお、印刷オリジナルデータは、ＰＤＬ解釈ジョブ、レンダリングジョブ、プリントジョブの３つの単体ジョブからなる複合ジョブでデジタル複合機１−４に送られる。デジタル複合機１−４のプリンタ部内で、各ジョブは、それぞれＰＤＬジョブ実行手段、レンダリングジョブ実行手段、プリントジョブ実行手段により、各ドキュメント処理部、ページ処理部が、前述した方式で、オリジナルデータ→中間コード→印刷イメージに変換する。
【００８８】
ＰＤＬには、章や節を識別する制御コードや、出力時に章や節をどのようにレイアウトするか、片面／両面印刷か、２ｉｎ１／４ｉｎｌなどのＮｉｎｌ印刷にするのか等のページレイアウト制御コードが用意されている
【００８９】
ＰＤＬジョブ実行手段は、指定されたページレイアウトの中間コードを生成し、レンダリングジョブ実行手段は、指定されたページレイアウトに配置された中間コードを出力イメージにレンダリングする。出力イメージに展開された各ページは、プリントジョブ実行手段により、実際の紙に出力され
　　
ｆ．「【００９２】
図７は、２ｉｎｌ印刷を行う場合に対応し、ＰＤＬジョブ実行手段は、各章を識別する制御コードに基づいて出力されるページの左ぺージまたは右ページ先頭に章や節がくるようにレイアウトし、中間コードを生成する。レンダリングジョブ実行手段は、この中間コードをイメージページに展開し、プリントジョブ実行手段が紙に出力する
【００９３】
図８は、２ｉｎｌ印刷を行う場合に対応し、ＰＤＬジョブ実行手段は、各章を識別する制御コードに基づいて出力されるページの左ページ先頭に章や節がくるように空白ページを挿入しながらレイアウトし、中間コードを生成する。レンダリングジョブ実行手段は、この中間コードをイメージページに展開し、プリントジョブ実行手段が紙に出力する
【００９４】
このように、ＰＤＬジョブ実行手段は途中空白ページ等を挿入しながらレイアウトを行うことで指定箇所に章や節が出力されるようにする
　　
ｇ．「【０１３５】以下、本実施形態の特徴的構成について図９〜図１１等を参照して更に説明する。
【０１３６】上記のように構成された所定の通信媒体（ネットワーク１−５，インタフェースを含む）を介してデータ処理装置（図１に示すホストコンピュータ１−１，１−２，１−３）と通信可能な印刷制御装置のデータ処理方法であって、あるいは所定の通信媒体を介してデータ処理装置と通信可能な印刷装置を制御するコンピュータが読み出し可能なプログラムを格納した記憶媒体であって、前記データ処理装置から送信されるプロトコルを解析するプロトコル解析工程（プロトコル解釈部３−３により実行される工程）と、前記プロトコル解析工程により解析されたプロトコルに基づいてジョブを生成するジョブ生成工程（ジョブ生成部４−１により実行される工程）と、前記ジョブ生成工程により生成されたジョブ４−１０を解析して該ジョブを異なるプリント処理固有の特定ジョブに振り分けるジョブ処理工程（ジョブ処理部４−２により実行される工程）と、前記ジョブ処理工程により振り分けられたプリント処理固有の各特定ジョブを実行する複数のジョブ実行工程（ジョブ処理部４−２により実行される工程）とを有するので、一連のジョブ処理を各特定ジョブに振り分けて分散処理でき、各特定ジョブ毎に固有のジョブ処理を付加して処理させることが可能となり、オリジナルのジョブ出力から該オリジナルジョブにユーザが所望するジョブ処理を付加した複合的なジョブ処理を自在に組み入れて、ユーザが意図するジョブ処理結果を得ることができる。
【０１３７】また、前記複数のプリントジョブ実行工程は、前記ジョブ中に含まれる所定のページ記述言語に基づく印刷データを解釈して中間データを展開処理するページ記述言語ジョブ実行工程（詳細は図９に示す手順に対応する）と、前記ページ記述言語ジョブ実行工程により展開される中間コードを印刷イメージに展開するレンダリングジョブ実行工程（図１０に示す手順に対応する）と、前記レンダリングジョブ実行工程により展開される印刷イメージを記録媒体に出力するプリントジョブ実行工程（図１１に示す手順に対応する）とを含むので、一連のジョブ処理を各ページ記述言語ジョブ，レンダリングジョブ，プリントジョブに振り分けて分散処理でき、各ページ記述言語ジョブ，レンダリングジョブ，プリントジョブ毎に固有のジョブ処理を付加して処理させることが可能となる。
【０１３８】さらに、前記ページ記述言語ジョブ実行工程（図９に示す手順）は、ページ記述言語ドキュメント９−６を処理し、ページ記述言語ドキュメント９−６を小さなＰＤＬページ９−７単位に分割するページ記述言語ドキュメント処理工程（ドキュメント処理部９−２で実行される工程）と、ページ記述言語ページ９−７を中間データページ９−９に展開するページ記述言語ページ処理工程（ページ処理部９−３により実行される工程）を有し、ページ記述言語ドキュメント９−６を中間データドキュメント９−８に展開するので、ジョブのボリュームを印刷装置の資源に応じて細分化した単位で効率良く処理できる。
【０１３９】また、前記レンダリングジョブ実行工程（図１０に示す工程）は、中間データドキュメント１０−５を処理し、前記中間データドキュメント１０−５を中間データページ１０−６単位に分割する中間データドキュメント処理工程（ドキュメント処理部１０−２による実行される工程）と、前記中間データドキュメント処理工程により分割される中間データページ１０−６をイメージデータ１０−８に展開する中間データページ処理工程（ページ処理部１０−３により実行される工程）を有し、前記中間データドキュメント１０−５をイメージドキュメント１０−７に展開するので、ジョブのボリュームを印刷装置の資源に応じて細分化した単位の中間データを効率よくイメージデータに展開することができる。
【０１４０】さらに、前記プリントジョブ実行工程（図１１に示す手順）は、イメージドキュメント（１１−９）を処理し、イメージドキュメント１１−９をイメージページ１１−１０単位に分割するイメージドキュメント処理工程（ドキュメント処理部１１−２により実行される工程）と、前記イメージドキュメント処理工程により分割されるイメージページ１１−１０を処理するイメージページ処理工程（ページ処理部１１−３により実行される工程）を有し、前記イメージページ処理工程は、前記イメージドキュメント１１−９を記録媒体に出力するので、ジョブのボリュームを印刷装置の資源に応じて細分化した単位の中間データから展開されるイメージデータを印刷装置の印刷処理能力に応じて印刷処理することができる。
【０１４１】また、前記イメージドキュメント処理工程（ドキュメント処理部１１−２により実行される工程）は、印刷するページを処理する順番を決定するプリントページ処理順序決定工程（プリントページ順序作成部１１−５により実行される工程）と、設定されるプリントモードに基づいて給紙する記録媒体の給紙タイミングを指示する給紙タイミング決定工程（給紙タイミング生成部１１−７による実行される工程）とを有するので、印刷装置の印刷処理シーケンスに最適化されるプリント処理順序を動的に決定することができる。
【０１４２】さらに、前記イメージドキュメント処理工程（ドキュメント処理部１１−２により実行される工程）は、出力されるページ１１−１２に対応した用紙１１−１３を生成し、該生成した用紙に関する用紙情報をプリント用紙キュー１１−４に蓄積するので、最適なページにレイアウトされるようにページ処理順序で中間データから各ページのイメージデータを展開処理することができる。
【０１４３】また、前記プリントページ処理順序決定工程（プリントページ順序作成部１１−５により実行される工程）は、前記プリント用紙キュー１１−４に蓄積された用紙情報の処理実行順序を決定し、処理するページ順にプリント用ページキュー１１−６に配置するので、中間データから展開される各ページのイメージデータを最適なページにレイアウトされるようにページ処理順序を設定することができる。
【０１４４】さらに、
前記ページ記述言語ジョブ実行工程（図９に示す手順）は、ページ記述言語ドキュメント中に階層する特定の文字列を表現する制御コマンドを識別して、該特定の文字列が前記データ処理装置から受信するジョブで指定されたページの位置とは異なるページの先頭位置にレイアウトされる中間データに展開するので、オリジナルのジョブ中では所定のページに割り付けられている特定の文字列をユーザが意図するページの先頭にレイアウトすることができる
【０１４５】また、
前記特定の文字列は、文書の章または節として編集された文字列とするので、オリジナルのジョブ中では所定のページに割り付けられている文書の章または節となる文字列をユーザが意図するページの先頭にレイアウトすることができる
【０１４６】さらに、
前記異なるページの位置は、前記特定の文字列がレイアウトされていた前ページに後続する次ページの先頭位置とするので、本来ならば文書データのボリュームによって出力ページ内の先頭以外の位置に割り付けられてしまう特定文字列を常にページの先頭位置にレイアウトできる中間データに展開することができる
【０１４７】また、
前記ページ記述言語ジョブ実行工程（図９に示す手順）は、設定されるレイアウトモードに従って前記特定の文字列を前記データ処理装置から受信するジョブで指定されたページの位置とは異なる表面ページの先頭位置にレイアウトされる中間データ（９−９）に展開するので、本来ならば文書データのボリュームによって裏面出力ページ内のに割り付けられてしまう特定文字列を常に表面ページの先頭位置にレイアウトできる中間データに展開することができる
【０１４８】さらに、
前記レイアウトモードは、複数ページを１ページ内にレイアウトするＮｉｎ１モード，片面モード，両面モードを含むので、本来ならば文書データのボリュームによって裏面出力ページ内のに割り付けられてしまう特定文字列を常に片面印刷時には次ページの先頭位置へ、両面印刷時には表面ページの先頭位置へ、Ｎｉｎ１印刷時には、対向するページ割り当て位置の先頭位置へレイアウトできる中間データに展開することができる
　　 
ｈ．図１には、ホストコンピュータとプリンタ部を有するデジタル複合機とを含むデータ処理システムの構成が示されている。
　　
ｉ．図７〜８には、２ｉｎ１印刷を行う場合に、各章を識別する制御コードに基づいて印刷のレイアウト制御する自動見出し項目印刷処理形態の例が示されている。 
　　
〔摘記事項に基づく認定事項〕
　上記摘記事項ｅ．（段落【００８８】参照。）及び上記摘記事項ｆ．（段落【００９２】〜【００９３】参照。）において、文書中の章や節を識別してレイアウトを制御するための「制御コード」についての記載があり、上記摘記事項ｇ（段落【０１４４】〜【０１４５】参照。）において、文書中の章や節を識別してレイアウトを制御するための「制御コマンド」についての記載があるが、両者は実質的に同じものを指していると認められるので、以下では、両者を共に「制御コード」と表現する。
　　　
〔引用例に記載された発明〕　  
　これらの記載事項及び認定事項からして、引用例には、  
　  
「ホストコンピュータとプリンタ部を有するデジタル複合機とを含み、用紙にＮｉｎ１印刷を行うことのできるデータ処理システムであって、
　ページ記述言語ドキュメントには、章や節を識別する制御コードや、出力時に章や節をどのようにレイアウトするか、片面／両面印刷か、２ｉｎ１／４ｉｎｌなどのＮｉｎｌ印刷にするのか等のページレイアウト制御コードが用意されており、
　Ｎｉｎ１印刷を行う際、ページ記述言語ドキュメント中に階層する文書の章または節として編集された特定の文字列を表現する制御コードを識別し、当該特定の文字列がデータ処理装置から受信するジョブで指定されたページの位置とは異なるページの先頭位置にレイアウトされる中間データに展開するページ記述言語ジョブ実行手段
　を有するデータ処理システム。」 
の発明（以下「引用発明」という。）が記載されている。  
　  
４　本件補正発明と引用発明との対比  
　本件補正発明と引用発明とを対比する。  
　  
＜対応関係Ａ＞  
　引用発明の「用紙」、「Ｎｉｎ１印刷」、「ページ記述言語ドキュメント」及び「ページ記述言語ドキュメント中に階層する文書の章または節として編集された特定の文字列を表現する制御コード」は、それぞれ本件補正発明の「記録シート」、「複数枚の原稿に対応する画像を単一の記録シート上に形成する機能」、「複数枚の原稿に対応する画像のデータ」及び「区切りデータ」に相当する。  
　  
＜対応関係Ｂ＞  
　引用発明の「ホストコンピュータとプリンタ部を有するデジタル複合機とを含」む「データ処理システム」は、本件補正発明の「画像形成システム」に相当する。
　　
＜対応関係Ｃ＞
　引用発明の「Ｎｉｎ１印刷を行う際、ページ記述言語ドキュメント中に階層する文書の章または節として編集された特定の文字列を表現する制御コードを識別」する「ページ記述言語ジョブ実行手段」は、Ｎｉｎ１印刷のページのレイアウトを制御するために、文書の区切り位置を示す「文書の章または節として編集された特定の文字列を表現する制御コード」を識別するものであるから、本件補正発明の「複数枚の原稿に対応する画像のデータから、前記機能を利用する場合の当該画像の記録シート上への配置を決定するに際して参照すべき区切りデータを取得する区切りデータ取得手段」としての機能を有している。
　　
＜対応関係Ｄ＞
　技術常識を踏まえると、文書の章と節とは、文書の階層構造におけるレベルが異なるから、文書の区切りとしても同じレベルではなく、異なるレベルを有するといえるから（実際の文書の区切り方としても、章と節とでは、改ページ・改行・挿入されるスペースの大きさ等が異なる。）、引用発明の「章や節を識別する制御コード」は、本件補正発明の「区切りデータに含まれる、複数種類の区切りレベルを示す情報」に相当する。
　そして、引用発明の「ページ記述言語ジョブ実行手段」は、「ページ記述言語ドキュメント」が「章や節を識別する制御コード」を含むことからして、「章や節を識別」しているから、本件補正発明の「区切りデータに含まれる、複数種類の区切りレベルを示す情報から当該複数種類のいずれの区切りレベルであるかを判別する区切りレベル判別手段」としての機能を有している。
　　
＜対応関係Ｅ＞
　引用発明の「Ｎｉｎ１印刷を行う際、ページ記述言語ドキュメント中に階層する文書の章または節として編集された特定の文字列を表現する制御コードを識別し、当該特定の文字列がデータ処理装置から受信するジョブで指定されたページの位置とは異なるページの先頭位置にレイアウトされる中間データに展開するページ記述言語ジョブ実行手段」と、本件補正発明の「記録シート上に形成する画像が前記区切りレベル毎に互いに異なる配置となるように、判別された区切りレベルに基づいて制御する画像配置制御手段」とは、「記録シート上に形成する画像の配置を、判別された区切りレベルに基づいて制御する画像配置制御手段」である点で共通する。
　　　
　以上の対応関係からして、本件補正発明と引用発明とは、  
「複数枚の原稿に対応する画像を単一の記録シート上に形成する機能を備える画像形成システムにおいて、
　複数枚の原稿に対応する画像のデータから、前記機能を利用する場合の当該画像の記録シート上への配置を決定するに際して参照すべき区切りデータを取得する区切りデータ取得手段と、
　前記区切りデータに含まれる、複数種類の区切りレベルを示す情報から当該複数種類のいずれの区切りレベルであるかを判別する区切りレベル判別手段と、
　記録シート上に形成する画像の配置を、判別された区切りレベルに基づいて制御する画像配置制御手段を備える画像形成システム。」 
の点で一致し、以下の相違点で相違する。  
　　  
（相違点）  
　「画像配置制御手段」に関して、本件補正発明は「記録シート上に形成する画像が前記区切りレベル毎に互いに異なる配置となるように、判別された区切りレベルに基づいて制御する」のに対して、引用発明は「章や節を識別」しているものの、識別された章と節とで互いに異なる配置となるように制御するかどうかが不明である点。  
　  
５　検討・判断  
　上記相違点について検討する。 
　 
（１）文書のレイアウトを、章・節・小節・段落等の文書の階層レベルに応じて異なったものとすることで、文書の体裁を整えて読みやすくすることは、一般的な文書作成方法における慣用的な手法に過ぎない。
　また、そのような慣用的な手法と同様の文書整形をワードプロセッサ等のデータ処理システムで自動処理で行うことは、例えば、特開平４−２１７０６３号公報（段落【００１１】〜【００１３】及び図２〜３参照。）、特開平４−１８６６４号公報（第２頁右下欄第４行目〜第３頁右上欄第５行目及び第１〜３図参照。）、特開昭６２−２２９３６４号公報（「実施例」参照。）に開示されているように、周知の技術である。
　そうすると、引用発明に上記慣用的な手法を取り入れ、章と節とでレイアウト方法が異なるように設計変更すること、または、引用発明に上記周知技術を付加することは、当業者であれば容易に想到することである。
　 
（２）上記（１）のようにした引用発明は、「画像配置手段」に関し「記録シート上に形成する画像が前記区切りレベル毎に互いに異なる配置となるように、判別された区切りレベルに基づいて制御する」との構成を備えることになるのは明らかである。
　
　また、本件補正発明が奏する作用効果は、引用発明及び慣用的な手法または引用発明及び周知の技術から当業者が予測できる範囲のものである。  
　  
　よって、本件補正発明は、当業者が引用発明及び慣用的な手法または引用発明及び周知の技術に基いて容易に発明をすることができたものである。  
　  
６　本件補正についてのむすび  
　以上のとおり、本件補正発明は、特許法第２９条第２項の規定により、特許出願の際独立して特許を受けることができないものであるから、本件補正は、特許法第１７条の２第５項において準用する同法第１２６条第５項に規定する要件を満たさないものであり、特許法第１５９条第１項で読み替えて準用する同法第５３条第１項の規定により却下すべきものである。  
　  
第３　本願発明について  
　  
１　本願発明  
　平成２１年１０月２０日付け手続補正は上記のとおり却下されたので、本願の特許請求の範囲に記載された発明は、特許出願時の特許請求の範囲の請求項１〜１０に記載されたとおりのものであるところ、その請求項１に係る発明（以下「本願発明」という。）は、次のとおりのものである。  
　  
「【請求項１】
　複数枚の原稿に対応する画像を単一の記録シート上に形成する機能を備える画像形成システムにおいて、
　複数枚の原稿に対応する画像のデータから、前記機能を利用する場合の当該画像の記録シート上への配置を決定するに際して参照すべき区切りデータを取得する区切りデータ取得手段と、
　前記区切りデータに含まれる、複数種類の区切りレベルを示す情報から区切りレベルを判別する区切りレベル判別手段と、
　記録シート上に形成する画像が前記区切りレベル毎に互いに異なる配置となるように、判別された区切りレベルに基づいて制御する画像配置制御手段を備える
　ことを特徴とする画像形成システム。」  
　  
２　引用例  
　原査定の拒絶の理由で引用された引用例及びその記載事項は、前記「第２」「〔理由〕」「３　引用例」に記載したとおりである。  
　  
３　本願発明と引用発明との対比、検討・判断  
　本願発明は、前記「第２」「〔理由〕」「２　本件補正発明」で検討した本件補正発明の発明特定事項において、「区切りレベル判別手段」に関する特定事項の一部を省いたものに相当する。  
　そして、本願発明の発明特定事項を全て含み、さらに他の発明特定事項を追加したものに相当する本件補正発明は、上記「第２」「〔理由〕」「５　検討・判断」に記載したとおり、当業者が引用発明及び慣用的な手法または引用発明及び周知の技術に基いて容易に発明をすることができたものである。  
　してみると、本件補正発明から追加的な発明特定事項を省いた本願発明も同様の理由により、当業者が引用発明及び慣用的な手法または引用発明及び周知の技術に基いて容易に発明をすることができたものである。　  
　  
４　むすび  
　以上のとおり、本願の請求項１に係る発明は、特許法第２９条第２項の規定により特許を受けることができないものである。  
　  
　したがって、その余の請求項に係る発明について論及するまでもなく、本願は拒絶すべきものである。  
　  
　よって、結論のとおり審決する。